(57)【要約】  本発明は、利用者の耳の上に配置されるように適合している後端部（１ａ）と眼鏡の前方部分に接続されるように適合している前端部（１ｂ）とを有している、細長部材（１）を備えている眼鏡用バーにおいて、細長部材（１）の前端部（１ｂ）が、少なくとも１つの長手方向ピン（５）を細長部材（１）の前端部（１ｂ）に及び追加部材（２，３，４）に形成されている長手方向穴に挿入することによって、１つ以上の追加部材（２，３，４）を介して延長されている、眼鏡用バーに関する。また、本発明は眼鏡用バーを備えている眼鏡に関する。
2013508768.tif 000002
【特許請求の範囲】
【請求項１】
眼鏡用バーであって、利用者の耳の上に配置されるように適合している後端部（１ａ）と前記眼鏡の前方部分に接続されるように適合している前端部（１ｂ）とを有している、細長部材（１）を備えている前記眼鏡用バーにおいて、
前記細長部材（１）の前記前端部（１ｂ）が、少なくとも１つの長手方向ピン（５）を前記細長部材（１）の前記前端部（１ｂ）に及び追加部材（２，３，４）に形成されている長手方向穴に挿入することによって、１つ以上の前記追加部材（２，３，４）を介して延長されており、
１つ以上の横方向部材（７）が、１つ以上の前記追加部材（３）に、前記長手方向ピン（５）に、及び、前記追加部材（２，３，４）の側面に配置されている長手方向舌片（６）に形成されている横方向穴に挿入されており、
１つ以上の前記横方向部材（７）が、前記細長部材（１）の前記前端部（１ｂ）に、前記長手方向ピン（５）に、及び、前記長手方向舌片（６）に形成されている横方向穴に挿入されており、
ヒンジ部材（１０）が、前記長手方向ピン（５）と一体化されており、
特に英数字記号とされる１つ以上の図形記号（９）が、１つ以上の前記追加部材（２，３）の側面に付されており、
１つ以上の前記追加部材（２，３）の前記側面が、前記長手方向舌片（６）に面している側面の反対側に位置していることを特徴とする眼鏡用バー。
【請求項２】
前記追加部材（２，３，４）が、後方の追加部材（２）と中間の追加部材（３）と前方の追加部材（４）であることを特徴とする請求項１に記載の眼鏡用バー。
【請求項３】
２つ以上の前記追加部材（２，３）が、略同一の形状且つ略同一の大きさとされることを特徴とする請求項１又は２に記載の眼鏡用バー。
【請求項４】
１つ以上の前記追加部材（２，３，４）の外周形状が、前記細長部材（１）の前記前端部（１ｂ）の周囲形状と、及び／又は、隣接している前記追加部材（３，４）の隣接している端部それぞれの外周形状と略同一とされることを特徴とする請求項１〜３のいずれか一項に記載の眼鏡用バー。
【請求項５】
１つ以上の前記追加部材（２，３，４）の端部には、前記細長部材（１）の前記前端部（１ｂ）に及び／又は隣接している前記追加部材（２，３）の隣接している端部それぞれに形成されている、対応する垂直方向シート（１ｃ，２ｂ，３ｂ）に挿入されるように適合している垂直方向突出部（２ａ，３ａ，４ａ）が形成されていることを特徴とする請求項１〜４のいずれか一項に記載の眼鏡用バー。
【請求項６】
前記垂直方向突出部（２ａ，３ａ，４ａ）と前記垂直方向シート（１ｃ，２ｂ，３ｂ）とが、略直方体の形状とされることを特徴とする請求項５に記載の眼鏡用バー。
【請求項７】
前記長手方向舌片（６）が、前記細長部材（１）の前記先端部（１ｂ）の側面に及び１つ以上の前記追加部材（２，３，４）の側面に形成されている、特に垂直方向突出部（２ａ，３ａ，４ａ）及び垂直方向シート（１ｃ，２ｂ，３ｂ）の同一側面に形成されている長手方向シート内に配置されていることを特徴とする請求項１〜６のいずれか一項に記載の眼鏡用バー。
【請求項８】
１つ以上の前記横方向部材（７）が、前記長手方向ピン（５）に、前記長手方向舌片（６）に、前記細長部材（１）の前記前端部（１ｂ）に、及び、前記追加部材に、特に中間の追加部材（３）に形成されている横方向穴に挿入されていることを特徴とする請求項１〜７のいずれか一項に記載の眼鏡用バー。
【請求項９】
前記横方向部材（７）が、前記長手方向ピン（５）の横方向穴（８）に螺入されているネジであることを特徴とする請求項１〜８のいずれか一項に記載の眼鏡用バー。
【請求項１０】
前記図形記号（９）が、前記垂直方向突出部（２ａ，３ａ，４ａ）及び前記垂直方向シート（１ｃ，２ｂ，３ｂ）の反対側の側面に付されていることを特徴とする請求項５〜９のいずれか一項に記載の眼鏡用バー。
【請求項１１】
前記ヒンジ部材（１０）が、前記細長部材（１）の反対側に位置する前記追加部材（４）に形成されている長手方向ノッチ（１１）を貫通して突出していることを特徴とする請求項１〜１０のいずれか一項に記載の眼鏡用バー。
【請求項１２】
請求項１〜１１のいずれか一項に記載の眼鏡用バーに接続されている少なくとも１つの前方部分を備えていることを特徴とする眼鏡。
【請求項１３】
前記眼鏡用バーの前記ヒンジ部材（１０）が、前記眼鏡の前記前方部分に固定されている相補的なヒンジ部材と結合されていることを特徴とする請求項１２に記載の眼鏡。
【発明の詳細な説明】
【技術分野】
【０００１】
本発明は、眼鏡用バー、及び当該眼鏡用バーを備えている眼鏡に関する。
【背景技術】
【０００２】
既知の眼鏡用バーは、利用者の耳の上に配置するように適合されている後端部と眼鏡の前方部分に接続するように適合されている前端部とを有している、細長部材を備えている。一般に、前端部の外側には、工場で永続的な態様で印された図形記号、例えば製造業者の商標が形成されている。利用者又は小売業者は、眼鏡をカスタマイズするために、１つ又は両方のバーに図形記号を接着する場合がある。しかしながら、このようなカスタマイズは、結論として、工場でカスタマイズされた眼鏡と比較して、特に接着された図形記号の美感、配置、及び機械的抵抗に関して必ずしも完全ではない。
【０００３】
特許文献１、特許文献２、特許文献３、及び特許文献４には、１つ以上の追加部材に形成されている長手方向穴に挿入されている、長手方向ピンを備えている眼鏡用バーが開示されている。
【０００４】
さらに、特許文献２に開示される眼鏡用バーでは、２つのネジが、前方の追加部材に、長手方向ピンに、及びヒンジ部材を備えている長手方向舌片に形成されている横方向穴に挿入されている。追加部材は、バーを延長するために及びバーに可撓性を付与するために利用されるが、その結果として、バーの剛性が低下する。
【先行技術文献】
【特許文献】
【０００５】
【特許文献１】米国特許第５６５２６３５号明細書
【特許文献２】独国特許第３５２１２９６号明細書
【特許文献３】独国特許第５１５７７４号明細書
【特許文献４】米国特許第６６５２０９３号明細書
【発明の概要】
【発明が解決しようとする課題】
【０００６】
従って、本発明の目的は、上述の欠点を有しない眼鏡、すなわち、簡便な方法でカスタマイズ可能とされ、これにより最適な結果を得ると共に高い剛性を維持する眼鏡を提供することである。当該目的は、請求項１及び１２それぞれに記載されている主要な特徴を有している眼鏡用バー及び眼鏡によって達成される。一方、他の特徴については、残りの請求項に記載されている。
【課題を解決するための手段】
【０００７】
本発明におけるバーは、１つ以上の追加部材に、好ましくは３つの追加部材に挿入されている長手方向ピンと組み合わせられた長手方向舌片を備えている機械的システムによって、当該バーを備えている眼鏡に対して、美的な喜びを付与するための簡便且つ急速なカスタマイズを可能とする。従って、１つ以上の追加部材の色、形状、及び／若しくは大きさを変更し、及び／又は、工場において１つ以上の図形記号を１つ以上の追加部材に事前に印すことができる。
【０００８】
本発明の一の実施態様では、２つ以上の追加部材が、略同一の形状及び略同一な大きさを有しているので、相違する図形記号が付された追加部材を相互交換することによって、カスタマイズの実現性を多様化することができる。
【０００９】
本発明の他の実施態様では、追加部材と細長部材の前端部とが、好ましくはバーの内側に配置されている垂直方向突出部と対応する垂直方向シートとを備えているので、垂直方向突出部と垂直方向シートとが機械的結合され、追加部材と細長部材との間の光路が保護され、これにより、同時にバーの剛性及び美観が改善される。
【００１０】
本発明のさらなる実施態様では、長手方向舌片が、好ましくはバーの内側に形成されている長手方向シート内に配置されており、１つ以上の横方向部材が、長手方向ピンに、長手方向舌片に、及び／又はバーの他の部材に形成されている横方向穴に挿入されており、これにより、バーの剛性が高められる。好ましくは、横方向部材は長手方向ピンに螺合されているネジであり、これにより同一の簡便さでバーを組立及び分解可能となる。
【００１１】
ヒンジ部材は長手方向ピンと一体化されている。従って、バーを眼鏡の前方部分に接続しているヒンジ部材がバーのすべての部材に接続するので、バーの剛性がさらに高められる。
【００１２】
本発明におけるバーのさらなる利点及び特徴については、添付図面と共に実施例に関する以下の詳細且つ非限定的な説明を参照することによって、当業者であれば理解することができる。
【図面の簡単な説明】
【００１３】
【図１】バーの外側の側面図である。
【図２】図１に表わすバーの内側の側面図である。
【図３】図１に表わすバーの底面図である。
【図４】図１に表わすバーの分解斜視図である。
【図５】図１に表わすバーの分解底面図である。
【図６】図１の断面ＶＩ−ＶＩの部分的な拡大図である。
【発明を実施するための形態】
【００１４】
図１〜図６に表わすように、本発明におけるバーは、既知の手法によって、利用者の耳の上に配置するように適合されている、例えば下方に向かって湾曲している後端部１ａと、例えばヒンジ部材によって眼鏡の前方部分に接続するように適合されている、例えば直線状に延在している前端部１ｂと、を有している細長部材１を備えている。
【００１５】
細長部材１の前端部１ｂは、細長部材１の前端部１ｂに及び追加部材２，３，４に形成されている長手方向穴に挿入されている（図２において破線で表わす）少なくとも１つの長手方向ピン５を利用することによって、１つ以上の追加部材を介して、好ましくは後方の追加部材２、中間の追加部材３、及び前方の追加部材４を介して延長されている。２つ以上の追加部材が、特に後方の追加部材２と中間の追加部材３とが、略同一の形状及び略同一の大きさを有している。１つ以上の追加部材２，３，４の端部における周囲形状は、細長部材１の前端部１ｂの周囲形状と、及び／又は、隣り合う追加部材３，４の隣り合う端部それぞれの周囲形状と略同一であり、特に略四角状に形成されている。長手方向ピン５の外側形状と、細長部材１及び追加部材２，３，４の長手方向穴の内側形状とが、長手方向ピン５と細長部材１及び追加部材２，３，４との間で相互に回転することを防止するために略四角状に形成されている。長手方向ピン５の先端と細長部材１の長手方向穴の内側端部とが丸められている。
【００１６】
１つ以上の追加部材２，３，４の端部には、細長部材１の前端部１ｂに及び／又は隣り合う追加部材２，３の隣り合う端部にそれぞれ形成されている、対応する垂直方向シート１ｃ，２ｂ，３ｂに挿入されるように適合している垂直方向突出部２ａ，３ａ，４ａが形成されている。垂直方向突出部２ａ，３ａ，４ａと垂直方向シート１ｃ，２ｂ，３ｂとが、好ましくは略直方体状の形態とされ、特にバーの内側に配置されている。
【００１７】
長手方向舌片６は、細長部材１の前端部１ｂの一方の側面に及び１つ以上の追加部材２，３，４の一方の側面に、特に垂直方向突出部２ａ，３ａ，４ａ及び垂直方向シート１ｃ，２ｂ，３ｂの同一側面に、すなわちバーの内側に形成されている長手方向シートに配置されている。１つ以上の横方向部材７が、長手方向ピン５に、長手方向舌片６に、細長部材１の前端部１ｂに、及び／又は１つ以上の追加部材２，３，４に、特に中間の追加部材３に形成されている横方向穴に挿入されている。好ましくは、横方向部材７は、長手方向ピン５の、ネジ部が形成された横方向穴８に螺入されているネジである。特に英数字記号である１つ以上の図形記号９は、細長部材１の前端部１ｂ及び／又は１つ以上の追加部材２，３，４の一方の側面に、特に垂直方向突出部２ａ，３ａ，４ａ及び垂直方向シート１ｃ，２ｂ，４の反対側の側面に、すなわちバーの外側に、言い換えれば長手方向舌片６に面した側面の反対側の側面に付されている。
【００１８】
ヒンジ部材１０は、長手方向ピン５と一体になっており、細長部材１に対向している追加部材に、すなわち、前方の追加部材４に形成されている長手方向ノッチ１１を貫通して突出している。ヒンジ部材１０は、例えばピンを介して、眼鏡の前方部分に固定されている相補的なヒンジ部材に結合されている。
【００１９】
当該実施例では、追加部材２，３，４が略直方体状の形態とされるが、他の実施例では、略プリズム状、略プリズム台状、円柱状、又は円錐台状の形態とされる。本明細書では、眼鏡との用語は、眼鏡、サングラス、及びこれらに類するものを意味することは明白である。
【００２０】
当業者であれば、特許請求の範囲から逸脱することなく、既に説明及び図解した実施例に対して変更及び／又は追加することができる。
【符号の説明】
【００２１】
１    細長部材
１ａ  後端部
１ｂ  前端部
１ｃ  垂直方向シート
２    後方の追加部材
２ａ  垂直方向突出部
２ｂ  垂直方向シート
３    中間の追加部材
３ａ  垂直方向突出部
３ｂ  垂直方向シート
４    前方の追加部材
４ａ  垂直方向突出部
５    長手方向ピン
６    長手方向舌片
７    横方向部材
８    横方向穴
９    図形記号
１０    ヒンジ部材
１１    長手方向ノッチ
【図１】
2013508768.tif 000003
【図２】
2013508768.tif 000004
【図３】
2013508768.tif 000005
【図４】
2013508768.tif 000006
【図５】
2013508768.tif 000007
【図６】
2013508768.tif 000008
【国際調査報告】
2013508768.tif 000009
2013508768.tif 000010
2013508768.tif 000011